(57)【要約】【課題】パチンコ機の球タンク内のパチンコ球を球発射装置と球払出装置に供給する場合に、球発射装置にパチンコ球を確実に安定供給する。【解決手段】球振分装置２２の球振分回転体３１は、回転コア３２の外周に球受入部３４を形成し、この球振分回転体３１が所定の回転方向に回転することで各球受入部３４が流入口４１、優先排出口４２、非優先排出口４３の順に対向するようにする。流入口４１には球タンク２１を接続し、優先排出口４２には球発射装置に通じる発射球流路２３を接続し、非優先排出口４３には、球払出装置に通じる払出用球流路２４を接続する。球振分回転体３１の回転中は、球受入部３４が、流入口４１に対向して球タンク２１からのパチンコ球を受け入れた後に、非優先排出口４３よりも先に優先排出口４２に対向するため、球受入部内３４のパチンコ球が優先的に優先排出口４２から排出されて発射用球流路２３へ流下する。【選択図】　図３
2004121680.tif 000002
【特許請求の範囲】
【請求項１】
球タンク内のパチンコ球（以下「供給球」という）を２系統の球流路により球発射装置と球払出装置に供給する遊技機において、
前記球発射装置に通じる発射用球流路と前記球払出装置に通じる払出用球流路のうちの一方（以下「優先球流路」という）に前記供給球を優先的に振り分けて流下させるように動作する球振分装置を備えていることを特徴とする遊技機。
【請求項２】
球タンク内のパチンコ球（以下「供給球」という）を２系統の球流路により賞球払出装置と貸球払出装置に供給する遊技機において、
前記賞球払出装置に通じる賞球流路と前記貸球払出装置に通じる貸球流路のうちの一方（以下「優先球流路」という）に前記供給球を優先的に振り分けて流下させるように動作する球振分装置を備えていることを特徴とする遊技機。
【請求項３】
前記球振分装置は、
外周にパチンコ球を受け入れる球受入部を有する回転体と、
前記供給球を前記回転体の球受入部へ流入させるための流入口と、
前記回転体の球受入部に受け入れたパチンコ球を前記２系統の球流路のうち前記優先球流路へ排出するための優先排出口と、
前記回転体の球受入部に受け入れたパチンコ球を前記２系統の球流路のうち前記優先球流路ではない球流路へ排出するための非優先排出口とを備え、
前記回転体が所定の回転方向に回転することで前記球受入部の開口部が前記流入口、前記優先排出口、前記非優先排出口の順に対向するように構成されていることを特徴とする請求項１又は２に記載の遊技機。
【請求項４】
１系統の流路で供給されるパチンコ球（以下「供給球」という）を複数系統の球流路に流下させる遊技機において、
前記複数系統の球流路のうち所定の優先球流路に前記供給球を優先的に振り分けて流下させるように動作する球振分装置を備え、
前記球振分装置は、
外周にパチンコ球を受け入れる球受入部を有する回転体と、
前記供給球を前記回転体の球受入部へ流入させるための流入口と、
前記回転体の球受入部に受け入れたパチンコ球を前記複数系統の球流路のうち前記優先球流路へ排出するための優先排出口と、
前記回転体の球受入部に受け入れたパチンコ球を前記複数系統の球流路のうち前記優先球流路ではない球流路へ排出するための非優先排出口とを備え、
前記回転体が所定の回転方向に回転することで前記球受入部の開口部が前記流入口、前記優先排出口、前記非優先排出口の順に対向するように構成されていることを特徴とする遊技機。
【請求項５】
前記回転体は、円錐台形状又は角錐台形状の回転コアの外周に軸方向に延びる複数の仕切板を設けることで複数の球受入部が形成され、該回転コアの中心に位置する回転軸が水平に配置されていることを特徴とする請求項３又は４に記載の遊技機。
【請求項６】
前記球振分装置は、前記供給球の流路を前記２系統の球流路に分岐する分岐部に設けられ、前記２系統の球流路のうち前記優先球流路の方に前記供給球を強制的に流下させる強制優先位置に切換動作可能な流路切換部材を備えていることを特徴とする請求項１又は２に記載の遊技機。
【請求項７】
前記供給球が不足する状態になったことを検出する供給球不足検出手段と、
前記供給球不足検出手段により前記供給球の不足が検出されたときに前記複数系統の球流路のうち前記優先球流路以外の球流路に接続された装置の動作を禁止する球不足時動作禁止手段と
を備えていることを特徴とする請求項１乃至６のいずれかに記載の遊技機。
【請求項８】
球タンクから供給されるパチンコ球（以下「供給球」という）を球払出装置と球発射装置に供給する遊技機において、
前記供給球の流路が前記球払出装置に接続され、該球払出装置がパチンコ球の払出先を球皿に通じる球払出流路と前記球発射装置に通じる発射用球流路との間で切換可能に構成されていることを特徴とする遊技機。
【発明の詳細な説明】
【０００１】
【発明の属する技術分野】
本発明は、球タンクから供給されるパチンコ球を複数種類の装置（例えば、球発射装置と球払出装置）に供給する遊技機に関するものである。
【０００２】
【従来の技術】
近年、パチンコ機等の遊技機において、遊技領域の拡大化や球発射装置の小型化・低消費電力化を目的として、遊技機の上部に球発射装置を配置した上部発射式の遊技機が提案されている。この上部発射式の遊技機は、遊技機下部に配置された球皿内のパチンコ球を遊技機上部に配置された球発射装置へ供給する構成にすると、パチンコ球を遊技機の下部から上部へ持ち上げる機構が必要となり、構成が複雑化してコストアップする。そこで、球皿内のパチンコ球（賞球や貸球）の経路と、球発射装置に供給するパチンコ球（発射球）の経路とを分離し、遊技機上部に設けられた球タンクから供給されるパチンコ球を発射球として球発射装置に供給する構成が提案されている（例えば、特許文献１参照）。
【０００３】
【特許文献１】
特許第２９９３１７１号公報（第２−３頁、第１図）
【０００４】
【発明が解決しようとする課題】
一般に、球タンク内のパチンコ球は、球発射装置の他に、球払出装置にも供給され、大当り時等には、球払出装置から多量のパチンコ球（賞球）が連続的に払い出される。このため、球タンク内のパチンコ球が残り少なくなってきたときに、大当り等により球払出装置から多量のパチンコ球が連続的に払い出されると、球タンクに補給されるパチンコ球の数よりも、球タンクから排出されるパチンコ球の数（球払出装置と球発射装置の両方に供給されるパチンコ球の合計数）の方が多くなってしまうことがある。このような場合、球発射装置にパチンコ球を十分に供給できなくなって、遊技客が発射操作ハンドルを発射操作しているにも拘らず、パチンコ球が発射されなくなる事態が発生することがあり、遊技を正常に続行することができなくなるばかりか、場合によっては（例えば大当り時には）、遊技客に不利益を与えてしまうことがある。
【０００５】
この対策として、本出願人は、特願２００１−１３９４２６号の明細書に記載されているように、球タンクに、球払出装置に通じる払出用球流路と球発射装置に通じる発射用球流路とを設け、球タンクの上流部に補給されるパチンコ球を球タンク底面の傾斜や球流れ規制板等によって発射用球流路の方に案内することで、発射用球流路にパチンコ球を優先的に流下させて球発射装置にパチンコ球を安定供給できるようにすることを提案している。
【０００６】
しかし、この構成では、球タンクに補給されるパチンコ球の流れ具合（勢い、流量、流れ方向等）によっては、球タンク内でのパチンコ球の球流れが変化して優先的に流下させるべき球流路ではない方の球流路に多くのパチンコ球が流下してしまう可能性があり、パチンコ球を優先的に供給すべき装置に対して、パチンコ球を確実に安定供給できるとは限らない。
【０００７】
本発明はこのような事情を考慮してなされたものであり、従ってその目的は、パチンコ球を優先的に供給すべき装置に対して、パチンコ球の流れ具合等の影響を受けずにパチンコ球を確実に安定供給することができる遊技機を提供することにある。
【０００８】
【課題を解決するための手段】
上記目的を達成するために、本発明の請求項１は、球タンク内のパチンコ球　（以下「供給球」という）を２系統の球流路により球発射装置と球払出装置に供給する遊技機において、球発射装置に通じる発射用球流路と球払出装置に通じる払出用球流路のうちの一方（以下「優先球流路」という）に供給球を優先的に振り分けて流下させるように動作する球振分装置を設けた構成としたものである。
【０００９】
この構成では、球振分装置の動作によって強制的に発射用球流路と払出用球流路のうちの一方（優先球流路）へ供給球を優先的に振り分けて流下させることができるので、供給球の流れ具合等の影響を受けずに確実に優先球流路に多くのパチンコ球を流下させることができ、球発射装置と球払出装置のうちパチンコ球を優先的に供給すべき方に、パチンコ球を確実に安定供給することができる。
【００１０】
一方、請求項２のように、球タンクから供給されるパチンコ球（供給球）を賞球払出装置と貸球払出装置に供給する遊技機の場合には、賞球払出装置に通じる賞球流路と貸球払出装置に通じる貸球流路のうちの一方（優先球流路）に供給球を優先的に振り分けて流下させるように動作する球振分装置を設けるようにしても良い。このようにすれば、賞球払出装置と貸球払出装置のうちパチンコ球を優先的に供給すべき方に、パチンコ球を確実に安定供給することができる。
【００１１】
また、球振分装置の具体的な構成としては、例えば、請求項３、４のように、外周にパチンコ球を受け入れる球受入部を有する回転体を設けると共に、供給球を回転体の球受入部へ流入させるための流入口と、球受入部に受け入れたパチンコ球を優先球流路へ排出するための優先排出口と、球受入部に受け入れたパチンコ球を優先球流路ではない球流路へ排出するための非優先排出口とを設け、回転体が所定の回転方向に回転することで球受入部の開口部が流入口、優先排出口、非優先排出口の順に対向するように構成すると良い。
【００１２】
この構成では、回転体を所定の回転方向に回転させると、球受入部の開口部が流入口に対向して球受入部に供給球を受け入れた後に、必ず、球受入部の開口部が非優先排出口よりも先に優先排出口に対向するので、優先球流路がパチンコ球で満杯になって優先排出口がパチンコ球で塞がれるまでは、球受入部内のパチンコ球を優先的に優先排出口から排出して優先球流路に流下させることができる。そして、優先球流路がパチンコ球で満杯になって優先排出口がパチンコ球で塞がれた状態になっているときのみ、球受入部内のパチンコ球を非優先排出口から排出して優先球流路以外の球流路に流下させることができる。
【００１３】
この場合、請求項５のように、回転体は、円錐台形状又は角錐台形状の回転コアの外周に軸方向に延びる複数の仕切板を設けることで複数の球受入部を形成し、該回転コアの中心に位置する回転軸を水平に配置するようにすると良い。
【００１４】
このようにすれば、回転体の回転に伴って、球受入部が回転軸よりも上方に移動すると、球受入部の底面（つまり円錐台形状又は角錐台形状の回転コアの外周面）が回転体の軸方向に沿って下り傾斜した状態となるため、球受入部内のパチンコ球を回転体の軸方向へ流下させることができる。また、球受入部が回転軸よりも下方に移動すると、球受入部が下向き又は斜め下向きになるため、球受入部内のパチンコ球を回転体の下方又は斜め下方へ流下させることができる。従って、パチンコ球を回転体の上部側でその軸方向へ排出する排出口と、パチンコ球を回転体の下部側で下方又は斜め下方へ排出する排出口とを設ける構成とすれば、回転体周辺のスペースを立体的に利用して各排出口に接続される球流路の接続部分（最上流部分）を回転体周辺に集約して配置することができる。
【００１５】
尚、回転体は、円柱形状又は角柱形状の回転コアの外周に球受入部を形成するようにしても良く、この場合でも、回転コアの回転軸を傾斜配置すれば、パチンコ球を回転体の上部側と下部側で軸方向と下方（又は斜め下方）へ排出することができる。この場合、回転コアの回転軸の傾斜に合わせて駆動モータやギア機構を傾斜配置すれば良い。
【００１６】
また、請求項６のように、球振分装置は、供給球の流路を２系統の球流路に分岐する分岐部に、２系統の球流路のうち優先球流路の方に供給球を強制的に流下させる強制優先位置に切換動作可能な流路切換部材を設ける構成にしても良い。この構成では、流路切換部材を強制優先位置に切り換えたときには、供給球の流れ具合等に関係なく、優先球流路の方に供給球を強制的に流下させることができるので、必要に応じて流路切換部材を強制優先位置に切り換えることによって、パチンコ球を確実に優先球流路に優先的に流下させることができる。
【００１７】
更に、請求項７のように、供給球不足検出手段により供給球の不足が検出されたときに優先球流路以外の球流路に接続された装置の動作を球不足時動作禁止手段により禁止するようにしても良い。このようにすれば、供給球の消費量を少なくしながら、供給球を優先球流路に接続された装置（例えば球発射装置）のみに供給することができ、供給球の不足時でも、より確実に優先球流路に接続された装置にパチンコ球を安定供給することができる。
【００１８】
また、請求項８のように、球タンクから供給されるパチンコ球（供給球）を球払出装置と球発射装置に供給する場合には、供給球の流路を球払出装置に接続し、球払出装置のパチンコ球の払出先を球皿に通じる球払出流路と球発射装置に通じる発射用球流路との間で切り換えるようにしても良い。この構成では、供給球を球払出装置から発射用球流路に払い出すことによって、供給球を強制的に発射用球流路に流下させることができ、球発射装置の方に確実にパチンコ球を安定供給することができる。
【００１９】
【発明の実施の形態】
《実施形態（１）》
以下、本発明をパチンコ機に適用した実施形態（１）を図１乃至図６に基づいて説明する。まず、図２に基づいてパチンコ機１１（遊技機）の前面側の概略構成を説明する。パチンコ機１１の本体枠１２の前面側には、遊技盤１３が取り付けられ、この遊技盤１３の前面に形成された遊技領域に、センター役物、入賞口、入賞装置等（いずれも図示せず）が設けられている。また、本体枠１２には、遊技盤１３の遊技領域へパチンコ球を発射する球発射装置１４が遊技盤１３の左側上部又は左側中間部に相当する位置に取り付けられている。この球発射装置１４には、発射位置にセットされたパチンコ球（発射待機球）を検出する発射待機球検出センサ１５が設けられている。尚、球発射装置１４を遊技盤１３の前面に取り付けるようにしても良い。
【００２０】
一方、パチンコ機１１の前面側下部には、前面パネル１６が設けられ、この前面パネル１６に、パチンコ球（賞球又は貸球）を貯溜する球皿１７や球発射装置１４の発射操作ハンドル１８が設けられている。また、球皿１７の下流部には、球皿１７内のパチンコ球を機外（パチンコ島側のパチンコ球回収通路）に排出する球排出装置１９が設けられている。この球排出装置１９には、次に排出されるために待機しているパチンコ球（排出待機球）を検出する排出待機球検出センサ２０が設けられている。
【００２１】
次に、図１に基づいてパチンコ機１１の裏面側の概略構成を説明する。パチンコ機１１の本体枠１２の裏面側上部には、パチンコ島の球補給通路（図示せず）からパチンコ球が補給される球タンク２１が設けられ、この球タンク２１から供給されるパチンコ球が、後述する球振分装置２２によって振り分けられて発射用球流路２３と払出用球流路２４とに流下する。球タンク２１には、球タンク２１内のパチンコ球の残量、つまり、球タンク２１から球発射装置１４や球払出装置２８に供給するパチンコ球（供給球）の残量が所定量よりも少なくなったことを検出する供給球不足検出センサ２５（供給球不足検出手段）が設けられている。
【００２２】
発射用球流路２３は、発射球送出装置２６を介してパチンコ機１１前面側の球発射装置１４に接続されている。発射球送出装置２６は、球発射装置１４がパチンコ球を１球発射する毎に、発射用球流路２３からのパチンコ球を１球ずつ球発射装置１４に供給するようになっている。発射用球流路２３には、発射用球流路２３内のパチンコ球（発射球）の残量が所定量よりも少なくなったことを検出する発射球不足検出センサ２７が設けられている。
【００２３】
一方、払出用球流路２４は、球払出装置２８に接続されている。この球払出装置２８とパチンコ機１１前面側の球皿１７との間には、球払出通路２９が接続され、球払出装置２８から払い出されたパチンコ球（賞球又は貸球）が球払出通路２９を流下して球皿１７に流入するようになっている。球払出通路２９には、球払出装置２８から払い出されたパチンコ球（賞球又は貸球）が球払出装置２８の下方近傍まで貯溜されたことを検出する満杯検出センサ３０が設けられている。
【００２４】
次に、図３乃至図５を用いて球振分装置２２及びその周辺部の構成について説明する。図３に示すように、球タンク２１の下流部側方には、球タンク２１から供給されるパチンコ球を発射用球流路２３と払出用球流路２４とに振り分けるための球振分回転体３１が回転可能に設けられている。この球振分回転体３１は、円錐台形状（又は角錐台形状）の回転コア３２の外周に、軸方向に延びる複数の仕切板３３を等間隔で設けることで、パチンコ球を受け入れる複数の球受入部３４が等間隔で形成されている。以下、円錐台形状（又は角錐台形状）の回転コア３２の小径側を球振分装置２２の前面側として説明する。
【００２５】
図４に示すように、回転コア３２の中心に位置する回転軸３５は、水平に配置されている。また、球振分回転体３１の下方には、球振分回転体３１を駆動するためのモータ３６が配置され、このモータ３６の回転軸に連結された駆動ギア３７と、球振分回転体３１の回転軸３５に連結された従動ギア３８（図５参照）とが噛み合っている。これにより、モータ３６の回転力が球振分回転体３１に伝達されて、球振分回転体３１が図４に矢印で示す所定の回転方向に回転する。
【００２６】
一方、図４に示すように、球タンク２１の底面３９は、球振分回転体３１の左側方から回転軸３５の方向へ向かって下り傾斜するように形成され、この球タンク２１の底面３９の下流部上方に、底面３９に対して傾斜した球崩し用斜面４０が設けられている。この球崩し用斜面４０によって底面３９を流下するパチンコ球の上下方向の流路スペースが徐々に狭められてパチンコ球が１段又は２段程度に整列される。この球崩し用斜面４０の下流側に、球タンク２１の底面３９を流下したパチンコ球を球振分回転体３１の左側方から球受入部３４へ流入させるための流入口４１が設けられている。
【００２７】
また、球振分回転体３１の上部側前方には、球受入部３４に受け入れたパチンコ球を発射用球流路２３へ排出するための優先排出口４２が設けられ、発射用球流路２３は、この優先排出口４２から左方に向かって下り傾斜するように設けられている。本実施形態（１）では、発射用球流路２３が特許請求の範囲でいう優先球流路に相当する。
【００２８】
更に、球振分回転体３１の下部左側斜め下方には、球受入部３４に受け入れたパチンコ球を払出用球流路２４へ排出するための非優先排出口４３が設けられ、払出用球流路２４は、この非優先排出口４３から左方に向かって下り傾斜するように設けられている。
【００２９】
また、球振分回転体３１の外周側には、球振分回転体３１の回転方向に沿って延びる湾曲通路４４が、優先排出口４２付近から非優先排出口４３付近まで延びるように設けられている。
【００３０】
そして、球振分回転体３１が図４に矢印で示す所定の回転方向に回転することで、球振分回転体３１の各球受入部３４の開口部が流入口４１、優先排出口４２、非優先排出口４３の順に対向するようになっている。その際、流入口４１と非優先排出口４３に対しては、球受入部３４の外周側の開口部が対向し、優先排出口４２に対しては、球受入部３４の前面側の開口部が対向する。
【００３１】
また、図５に示すように、発射用球流路２３は、例えば１条の流路で構成されている。一方、払出用球流路２４は、その最上流部が球受入部３４とほぼ同じ幅寸法で形成されているが、下流に向かうに従って徐々に収斂されて例えば２条の流路になるように構成されている。
【００３２】
この球振分装置２２では、球振分回転体３１の回転に伴って、球受入部３４の外周側の開口部が流入口４１に対向したときに、球タンク２１の最下流部のパチンコ球が流入口４１から球受入部３４へ流入する。
【００３３】
そして、球受入部３４が回転軸３５よりも上方に移動して、球受入部３４の前面側の開口部が優先排出口４２に対向したときには、球受入部３４の底面（つまり回転コア３２の外周面）が前方に向かって下り傾斜した状態となっているため、球受入部３４内のパチンコ球を球振分回転体３１の前方へ流下させて優先排出口４２から発射用球流路２３へ排出することができる。
【００３４】
また、球受入部３４が回転軸３５よりも下方に移動して、球受入部３４の外周側の開口部が非優先排出口４３に対向したときには、球受入部３４が斜め下向きになっているため、球受入部３４内のパチンコ球を球振分回転体３１の斜め下方へ流下させて非優先排出口４３から払出用球流路２４へ排出することができる。
【００３５】
但し、球振分回転体３１を図４に矢印で示す所定の回転方向に回転させると、球受入部３４の開口部が流入口４１に対向して球受入部３４にパチンコ球を受け入れた後に、必ず、球受入部３４の開口部が非優先排出口４３よりも先に優先排出口４２に対向する。これにより、発射用球流路２３がパチンコ球で満杯になって優先排出口４２がパチンコ球で塞がれるまでは、球受入部内３４のパチンコ球が優先的に優先排出口４２から排出されて発射用球流路２３へ流下する。そして、発射用球流路２３がパチンコ球で満杯になって優先排出口４２がパチンコ球で塞がれた状態となっているときのみ、球受入部内３４のパチンコ球が非優先排出口４３から排出されて払出用球流路２４へ流下する。
【００３６】
以上のように構成したパチンコ機１１の球発射装置１４、球排出装置１９、球振分装置２２、球払出装置２８等の動作は、パチンコ機１１の制御回路（図示せず）によって制御される。
【００３７】
パチンコ機１１の制御回路は、発射操作ハンドル１８が発射操作され且つ発射待機球検出センサ１５と排出待機球検出センサ２０で発射待機球と排出待機球が両方とも検出されているときに、発射操作ハンドル１８の操作量に応じた発射力で球発射装置１４を発射動作させて、パチンコ球を遊技盤１３の遊技領域に打ち出す。その際、球発射装置１４を１球発射動作させる毎に球排出装置１９を１球だけ排出動作させる処理を繰り返す。これにより、球排出装置１９で球皿１７から排出したパチンコ球の数と球発射装置１４で発射したパチンコ球の数とを整合させる。
【００３８】
また、パチンコ機１１の制御回路は、遊技領域を転動するパチンコ球が入賞して賞球払出指令が出されたときに、球払出装置２８を賞球払出動作させて所定数のパチンコ球を賞球として球皿１７に払い出す。一方、球貸ボタン（図示せず）が押されて貸球払出指令が出されたときには、球払出装置２８を貸球払出動作させて所定数のパチンコ球を貸球として球皿１７に払い出す。尚、貸球払出機能を持たせずに、賞球のみを払い出すようにしても良い。
【００３９】
また、パチンコ機１１の制御回路は、図６に示す球振分制御プログラムを実行することで、遊技中に球振分装置２２の球振分回転体３１を所定の回転方向に回転させて、球タンク２１から供給されるパチンコ球を発射用球流路２３に優先的に流下させてパチンコ球を球発射装置１４に優先的に供給する。更に、球タンク２１から球発射装置１４や球払出装置２８へ供給するパチンコ球（供給球）の残量が所定量よりも少なくなったときに、球払出装置２８の払出動作を禁止して、供給球の消費量を少なくしながら、供給球を球発射装置１４のみに供給できるようにする。
【００４０】
図６に示す球振分制御プログラムは、所定周期で実行される。本プログラムが起動されると、まず、ステップ１０１で、遊技中か否かを、例えば、発射操作ハンドル１８が発射操作されているか否かによって判定する。
【００４１】
遊技中であれば、ステップ１０２に進み、球振分装置２２を駆動して球振分回転体３１を所定の回転方向に回転させる。これにより、発射用球流路２３がパチンコ球で満杯になって優先排出口４２がパチンコ球で塞がれるまで、球タンク２１から供給されるパチンコ球を優先的に発射用球流路２３へ流下させ、発射用球流路２３がパチンコ球で満杯になって優先排出口４２がパチンコ球で塞がれた状態となったときのみ、球タンク２１から供給されるパチンコ球を払出用球流路２４へ流下させる。これにより、球タンク２１から供給されるパチンコ球を球発射装置１４に優先的に供給する。
【００４２】
この後、ステップ１０４に進み、供給球不足検出センサ２５の出力信号に基づいて、球タンク２１内のパチンコ球（供給球）の残量が所定量よりも少ないか否かを判定する。
【００４３】
その結果、球タンク２１内の供給球の残量が所定量よりも少ないと判定された場合には、ステップ１０５に進み、球払出装置２８の払出動作を禁止して、球払出装置２８が払出動作中であれば、その払出動作を停止させると共に、未払いの賞球又は貸球の個数をメモリ（図示せず）に記憶する。これにより、球タンク２１内の供給球の残量が少なくなったときには、供給球を球発射装置１４のみに供給する。このステップ１０５の処理が特許請求の範囲でいう球不足時動作禁止手段としての役割を果たす。
【００４４】
その後、球タンク２１にパチンコ球が補給されて、ステップ１０４で、球タンク２１内の供給球の残量が所定量以上であると判定されたときに、ステップ１０６に進み、球払出装置２８の払出動作を許可して、未払いの賞球又は貸球があれば、球払出装置２８の払出動作を再開して未払いの賞球又は貸球を払い出す。
その後、本プログラムを起動したときに、上記ステップ１０１で、遊技中でないと判定されれば、ステップ１０３に進み、球振分装置２２の駆動を停止する。
【００４５】
尚、球発射装置１４でパチンコ球を発射する毎に球皿１７から機外へ排出する球皿１７内のパチンコ球の残量が少なくなった場合は、未払いの賞球又は貸球があれば、球タンク２１内の供給球の残量が少なくなっても、球払出装置２８を払出動作させて所定数のパチンコ球（賞球又は貸球）を球皿１７に払い出すようにしても良い。つまり、球皿１７内のパチンコ球の残量が少なくなった場合に限り、発射動作よりも払出動作を優先させるようにしても良い。
【００４６】
以上説明した本実施形態（１）では、球振分装置２２の球振分回転体３１を回転させることによって、球タンク２１から供給されるパチンコ球（供給球）を強制的に発射用球流路２３へ優先的に振り分けて流下させるので、供給球の流れ具合等の影響を受けにくく、確実に発射用球流路２３に多くのパチンコ球を流下させることができ、球発射装置１４にパチンコ球を確実に安定供給することができる。
【００４７】
また、本実施形態（１）では、球振分回転体３１は、円錐台形状（又は角錐台形状）の回転コア３２の外周に球受入部３４を形成したので、球受入部３４が回転軸３５よりも上方に移動したときには、球受入部３４の底面（回転コア３２の外周面）の下り傾斜を利用して、球受入部３４内のパチンコ球を球振分回転体３１の軸方向（前方）へ流下させて排出することができ、球受入部３４が回転軸３５よりも下方に移動したときには、球受入部３４内のパチンコ球を球振分回転体３１の下方又は斜め下方へ流下させて排出することができる。これにより、パチンコ球を球振分回転体３１の上部側で軸方向へ排出する優先排出口４２と、パチンコ球を球振分回転体３１の下部側で軸直方向に排出する排出口４３とを設けることができるので、球振分回転体３１周辺のスペースを立体的に利用して各排出口４２，４３に接続される球流路２３，２４の接続部分（最上流部分）を球振分回転体３１周辺に集約して配置することができ、球振分装置２２を小型化することができる。
【００４８】
尚、球振分回転体は、円柱形状又は角柱形状の回転コアの外周に球受入部を形成するようにしても良く、この場合でも、回転コアの回転軸を傾斜配置すれば、パチンコ球を回転体の上部側と下部側で軸方向と軸直方向へ排出することができる。しかし、この場合、回転コアの回転軸の傾斜に合わせて駆動モータやギア機構を傾斜配置する等の工夫が必要になるため、球振分装置の構成が複雑化する。
【００４９】
その点、本実施形態（１）では、円錐台形状（又は角錐台形状）の回転コア３２の外周に球受入部３４を形成したので、回転コア３４の回転軸３５を水平に配置しても、パチンコ球を球振分回転体３１の上部側と下部側で軸方向と軸直方向へ排出することができる。このため、駆動モータ３６やギア３７，３８を傾斜させて配置する必要がなく、球振分装置２２の構成を簡単化することができる。
【００５０】
また、本実施形態（１）では、供給球の残量が少なくなったときに球払出装置２８の払出動作を禁止するようにしたので、供給球の残量が少なくなったときに、供給球を球発射装置１４のみに供給することができ、供給球の不足時でも、より確実に球発射装置１４にパチンコ球を安定供給することができる。
【００５１】
《実施形態（２）》
上記実施形態（１）では、球タンク２１から供給されるパチンコ球を球発射装置１４と球払出装置２８に供給する構成としたが、図７に示す本発明の実施形態（２）のパチンコ機４５（遊技機）では、球タンク２１から供給されるパチンコ球を賞球払出装置４８と貸球払出装置４９に供給する構成としている。尚、上記実施形態（１）と実質的に同一部分には、同一符号を付して説明を省略する。
【００５２】
図７に示すように、球振分装置２２には、賞球流路４６と貸球流路４７が接続され、賞球流路４６が賞球払出装置４８に接続され、貸球流路４７が貸球払出装置４９に接続されている。賞球払出装置４８から払い出されたパチンコ球（賞球）と、貸球払出装置４９から払い出されたパチンコ球（貸球）は、球払出通路２９を流下して球皿１７に流入する。
【００５３】
尚、本実施形態（２）では、球振分装置２２の優先排出口４２（図３、図４参照）に、賞球流路４６が接続され、非優先排出口４３（図３、図４参照）に、貸球流路４７が接続されている。従って、賞球流路４６が特許請求の範囲でいう優先球流路に相当する。
【００５４】
パチンコ機４５の制御回路は、賞球払出指令が出されたときに、賞球払出装置４８を払出動作させて所定数のパチンコ球を賞球として球皿１７に払い出す。一方、貸球払出指令が出されたときには、貸球払出装置４９を払出動作させて所定数のパチンコ球を貸球として球皿１７に払い出す。
【００５５】
更に、パチンコ機４５の制御回路は、遊技中に球振分装置２２の球振分回転体３１を所定の回転方向に回転させて、球タンク２１から供給されるパチンコ球を賞球流路４６に優先的に流下させてパチンコ球を賞球払出装置４８に優先的に供給する。更に、球タンク２１内のパチンコ球の残量が少なくなって、球タンク２１から賞球払出装置４８や貸球払出装置４９へ供給するパチンコ球（供給球）が不足する状態になったときに、貸球払出装置４９の払出動作を禁止して、供給球の消費量を少なくしながら、供給球を賞球払出装置４８のみに供給できるようにする。
【００５６】
以上説明した本実施形態（２）では、球振分装置２２の球振分回転体３１を回転させることによって、球タンク２１から供給されるパチンコ球（供給球）を強制的に賞球流路４６へ優先的に振り分けて流下させることができるので、供給球の流れ具合の影響を受けにくく、確実に賞球流路４６に多くのパチンコ球を流下させることができ、賞球払出装置４８にパチンコ球を確実に安定供給することができる。
【００５７】
尚、本実施形態（２）では、貸球払出装置４９よりも賞球払出装置４８の方にパチンコ球を優先的に供給するようにしたが、これとは反対に、賞球払出装置４８よりも貸球払出装置４９の方にパチンコ球を優先的に供給するようにしても良い。この場合には、球振分装置２２の優先排出口４２に貸球流路４７を接続して、非優先排出口４３に賞球流路４６を接続し、供給球の不足時に賞球払出装置４８の払出動作を禁止するようにすれば良い。
【００５８】
また、上記各実施形態（１）、（２）では、遊技中（例えば、発射操作ハンドル１８が発射操作されているとき）に、球振分装置２２の球振分回転体３１を回転駆動するようにしたが、球振分装置２２の駆動／駆動停止タイミングは、適宜変更しても良い。
【００５９】
また、優先排出口４２や非優先排出口４３の位置は、適宜変更して良く、例えば、球振分回転体３１の下部側に、優先排出口４２と非優先排出口４３を設けるようにしても良い。要は、球振分回転体３１が所定の回転方向に回転したときに、球振分回転体３１の各球受入部３４の開口部が流入口４１、優先排出口４２、非優先排出口４３の順に対向するように構成すれば良い。
【００６０】
《実施形態（３）》
次に、図８及び図９を用いて本発明の実施形態（３）を説明する。本実施形態（３）のパチンコ機５０（遊技機）は、前記実施形態（１）と同じく、球タンク２１から供給されるパチンコ球を球発射装置１４と球払出装置２８に供給するようにしている。尚、前記実施形態（１）と実質的に同一部分には、同一符号を付して説明を省略する。
【００６１】
前記実施形態（１）では、回転式の球振分装置２２によってパチンコ球を発射用球流路２３と払出用球流路２４に振り分けるようにしたが、本実施形態（３）では、流路切換式の球振分装置５５によってパチンコ球を発射用球流路２３と払出用球流路２４に振り分けるようにしている。
【００６２】
図８に示すように、球タンク２１の下端部には、球タンク２１から流れ出るパチンコ球の流路を分岐する分岐流路５１（分岐部）が接続されている。この分岐流路５１には、仕切壁５２によって第１流路５３と第２流路５４とが仕切り形成されている。そして、球タンク２１の底面３９の最下流部に隣接する第１流路５３側に、発射用球流路２３が接続され、球タンク２１の底面３９の最下流部から離れた第２流路５４側に、払出用球流路２４が接続されている。
【００６３】
また、分岐流路５１の下流部には、球振分装置５５が設けられている。この球振分装置５５には、流路切換部材５６が回動軸５７を支点にして回動可能に設けられ、この流路切換部材５６がロータリソレノイド等の駆動源（図示せず）によって回動駆動される。この流路切換部材５６が、ほぼ鉛直方向に直立した通常位置（図８に実線で示す位置）にあるときには、第１流路５３を流下するパチンコ球が発射流路２３に流下し、第２流路５４を流下するパチンコ球が払出用球流路２４に流下する。流路切換部材５６は、この通常位置と、通常位置から反時計回り方向に回動して第１流路５３と第２流路５４を流下するパチンコ球を強制的に発射用球流路２３の方に流下させる発射球強制優先位置との間を切換動作可能に設けられている。更に、流路切換部材５６は、通常位置から時計回り方向に回動して、第１流路５３と第２流路５４を流下するパチンコ球を強制的に払出用球流路２４の方に流下させる払出球強制優先位置に切換動作可能にしても良い。
【００６４】
また、球皿１７には、球皿１７内のパチンコ球の残量、つまり、球発射装置１４でパチンコ球を発射する毎に球皿１７から機外に排出するパチンコ球（排出球）の残量が所定量よりも少なくなったことを検出する排出球不足検出センサ５８が設けられている。
【００６５】
以上のように構成したパチンコ機５０では、通常時は、流路切換部材５６が通常位置に保持されている。この場合、球タンク２１内にパチンコ球がある程度貯溜されているときには、第１流路５３と発射用球流路２３には、球発射装置１４から発射された分だけのパチンコ球が流れ込み、第２流路５４と払出用球流路２４には、球払出装置２８から払い出された分だけのパチンコ球が流れ込む。一方、球タンク２１内のパチンコ球の貯溜量が少なくなってくると、球タンク２１の底面３９の最下流部に隣接する第１流路５３の方へパチンコ球が流れ込みやすくなってくるため、球発射装置１４の方にある程度優先的にパチンコ球を供給することができる。
【００６６】
また、パチンコ機５０の制御回路は、図９に示す球振分制御プログラムを所定周期で実行することで、球タンク２１内のパチンコ球（供給球）の残量が所定量よりも少なくなったときに、球払出装置２８の払出動作を禁止し、更に、発射用球流路２３内のパチンコ球（発射球）の残量が所定量よりも少ないときには、球振分装置５５の流路切換部材５６を発射球強制優先位置に切り換える。これにより、供給球の消費量を少なくしながら、第１流路５３と第２流路５４を流下するパチンコ球を強制的に発射用球流路２３の方に流下させる。
【００６７】
図９に示す球振分制御プログラムが起動されると、まず、ステップ２０１で、供給球不足検出センサ２５の出力信号に基づいて、球タンク２１内のパチンコ球（供給球）の残量が所定量よりも少ないか否かを判定する。
【００６８】
その結果、球タンク２１内の供給球の残量が所定量以上であると判定された場合には、ステップ２０２に進み、球払出装置２８の払出動作を許可した後、ステップ２０３に進み、球振分装置５５の流路切換部材５６を通常位置に保持する。
【００６９】
一方、上記ステップ２０１で、球タンク２１内の供給球の残量が所定量よりも少ないと判定された場合には、ステップ２０４に進み、球払出装置２８の払出動作を禁止して、球払出装置２８が払出動作中であれば、その払出動作を停止させると共に、未払いの賞球又は貸球の個数をメモリ（図示せず）に記憶する。未払いの賞球又は貸球は、球タンク２１内の供給球の残量が所定量以上になったときに球払出装置２８の払出動作を再開して払い出す。
【００７０】
この後、ステップ２０５に進み、発射球不足検出センサ２７の出力信号に基づいて、発射用球流路２３内のパチンコ球（発射球）の残量が所定量よりも少ないか否かを判定する。もし、発射球の残量が所定量よりも少なければ、ステップ２０６に進み、球振分装置５５の流路切換部材５６を発射球強制優先位置に切り換える。これにより、第１流路５３と第２流路５４を流下するパチンコ球を強制的に発射用球流路２３の方に流下させる。
【００７１】
一方、上記ステップ２０５で、発射球の残量が所定量以上であると判定された場合には、ステップ２０７に進み、球振分装置５５の流路切換部材５６を通常位置に保持する（又は切り換える）。
【００７２】
この後、ステップ２０８に進み、排出球不足検出センサ５８の出力信号に基づいて、球皿１７内のパチンコ球の残量、つまりパチンコ球を発射する毎に球皿１７から機外へ排出する球皿１７内のパチンコ球（排出球）の残量が所定量よりも少ないか否かを判定する。
【００７３】
その結果、球皿１７内の排出球の残量が所定量よりも少ないと判定された場合には、ステップ２０９に進み、未払いの賞球又は貸球があれば、球タンク２１内の供給球の残量が少なくなっても、球払出装置２８を払出動作させて所定数のパチンコ球（賞球又は貸球）を球皿１７に払い出す。
【００７４】
以上説明した本実施形態（３）では、球タンク２１内の供給球の残量が少なく且つ発射球の残量が少ないときに、球振分装置５５の流路切換部材５６を発射球強制優先位置に切り換えることによって、第１流路５３と第２流路５４を流下するパチンコ球を強制的に発射用球流路２３の方に流下させるので、供給球の流れ具合の影響を受けにくく、確実に発射用球流路２３に多くのパチンコ球を流下させることができ、球発射装置１４にパチンコ球を確実に安定供給することができる。
【００７５】
尚、本実施形態（３）では、球振分装置５５の流路切換部材５６を、通常位置と発射球強制優先位置との間で切り換えるようにしたが、例えば、払出球不足検出センサ５９によって払出用球流路２４内のパチンコ球（払出球）の残量が所定量よりも少なくなったことを検出したときに、球振分装置５５の流路切換部材５６を払出球強制優先位置に切り換えて、第１流路５３と第２流路５４を流下するパチンコ球を強制的に払出用球流路２４の方に流下させるようにしても良い。
【００７６】
また、本実施形態（３）では、球タンク２１から供給されるパチンコ球を、流路切換式の球振分装置５５を介して球発射装置１４と球払出装置２８に供給する構成としたが、球タンク２１から供給されるパチンコ球を、流路切換式の球振分装置５５を介して賞球払出装置と貸球払出装置に供給する構成としても良い。
【００７７】
《実施形態（４）》
上記各実施形態（１）〜（３）では、球タンク２１から供給されるパチンコ球を、球振分装置を介して球発射装置と球払出装置（又は賞球払出装置と貸球払出装置）に供給する構成としたが、図１０及び図１１に示す本発明の実施形態（４）のパチンコ機６０（遊技機）では、球タンク２１から供給されるパチンコ球を、球払出装置６２を介して球発射装置１４に供給する構成としている。尚、前記実施形態（１）と実質的に同一部分には、同一符号を付して説明を省略する。
【００７８】
図１０に示すように、球タンク２１の下端部には、球供給路６１が接続され、この球供給路６１の下端部に、球払出装置６２が接続されている。この球払出装置６２には、パチンコ球を受け入れる複数の凹部６３を有するスプロケット６４が回動可能に設けられ、このスプロケット６４がモータ等の駆動源（図示せず）によって回動駆動される。
【００７９】
スプロケット６４の左側方には、球供給路６１の出口から下方に延びる賞球・貸球払出流路６５が設けられ、この賞球・貸球払出流路６５に、球皿１７に通じる球払出通路２９が接続されている。賞球・貸球払出流路６５には、スプロケット６４から払い出されるパチンコ球（賞球又は貸球）を検出する球検出センサ６６が設けられている。
【００８０】
一方、スプロケット６４の右側方には、球供給路６１の出口から下方に延びる発射球払出流路６７が設けられ、この発射球払出流路６７に、球発射装置１４に通じる発射用球流路２３が接続されている。
【００８１】
球タンク２１から供給されるパチンコ球を賞球又は貸球として払い出す場合は、スプロケット６４を正回転方向（図１０では反時計回り方向）に回転させる。これにより、スプロケット６４の凹部６３が球供給路６１の出口に対向する毎にパチンコ球を凹部６３に受け入れ、そのパチンコ球を左側の賞球・貸球払出流路６５に流下させる。賞球・貸球払出流路６５から払い出されたパチンコ球（賞球又は貸球）は、球払出通路２９を流下して球皿１７に流入する。
【００８２】
一方、球タンク２１から供給されるパチンコ球を発射球として球発射装置１４に供給する場合は、スプロケット６４を逆回転方向（図１０では時計回り方向）に回転させる。これにより、スプロケット６４の凹部６３が球供給路６１の出口に対向する毎にパチンコ球を凹部６３に受け入れ、そのパチンコ球を右側の発射球払出流路６７に流下させる。発射球払出流路６７に払い出されたパチンコ球（発射球）は、発射用球流路２３を流下して球発射装置１４に供給される。
【００８３】
パチンコ機６０の制御回路は、図１１に示す球振分制御プログラムを所定周期で実行することで、発射用球流路２３内のパチンコ球（発射球）の残量が所定量よりも少ないときに、球払出装置６２のスプロケット６４を逆回転させて、所定数のパチンコ球を発射球として発射用球流路２３に払い出し、賞球払出指令又は貸球払出指令が出されたときに、球払出装置６２のスプロケット６４を正回転させて、所定数のパチンコ球を賞球又は貸球として球皿１７に払い出す。尚、貸球払出機能を持たせずに、賞球のみを払い出すようにしても良い。
【００８４】
図１１に示す球振分制御プログラムが起動されると、まず、ステップ３０１で、発射球不足検出センサ２７の出力信号に基づいて、発射用球流路２３内のパチンコ球（発射球）の残量が所定量よりも少ないか否かを判定する。もし、発射球の残量が所定量よりも少なければ、ステップ３０２に進み、球払出装置６２のスプロケット６４を逆回転させて、球タンク２１から供給されるパチンコ球を発射球として所定数だけ発射用球流路２３に払い出す。
【００８５】
この後、ステップ３０３に進み、供給球不足検出センサ２５の出力信号に基づいて、球タンク２１内のパチンコ球（供給球）の残量が所定量よりも少ないか否かを判定する。
【００８６】
その結果、球タンク２１内の供給球の残量が所定量以上であると判定された場合には、ステップ３０４に進み、賞球払出指令又は貸球払出指令が出されたか否かを判定し、賞球払出指令又は貸球払出指令が出されたときに、ステップ３０５に進み、球払出装置６２のスプロケット６４を正回転させて、球タンク２１から供給されるパチンコ球を賞球又は貸球として所定数だけ球皿１７に払い出す。
【００８７】
一方、上記ステップ３０３で、球タンク２１内の供給球の残量が所定量よりも少ないと判定された場合には、ステップ３０６に進み、球払出装置６２の賞球及び貸球の払出動作を禁止して、球払出装置６２が賞球又は貸球の払出動作中であれば、その払出動作を停止させると共に、未払いの賞球又は貸球の個数をメモリ（図示せず）に記憶する。未払いの賞球又は貸球は、球タンク２１内の供給球の残量が所定量以上になったときに球払出装置６２の賞球又は貸球の払出動作を再開して払い出す。
【００８８】
尚、球発射装置１４でパチンコ球を発射する毎に球皿１７から機外へ排出する球皿１７内のパチンコ球（排出球）の残量が少なくなった場合は、未払いの賞球又は貸球があれば、球タンク２１内の供給球の残量が少なくなっても、球払出装置６２を払出動作させて所定数のパチンコ球（賞球又は貸球）を球皿１７に払い出すようにしても良い。
【００８９】
以上説明した本実施形態（４）では、球払出装置６２のスプロケット６４を逆回転させて、球タンク２１から供給されるパチンコ球（供給球）を発射球として発射用球流路２３に払い出すようにしたので、供給球を強制的に発射用球流路２３に流下させることができ、球発射装置１４の方に確実にパチンコ球を安定供給することができる。しかも、本実施形態（４）では、球払出装置６２を球振分装置としても使用することができるため、専用の球振分装置を設ける必要がなく、構成を簡単化することができる利点がある。
【００９０】
しかしながら、本発明は、本実施形態（４）の球払出装置６２を球振分装置として設け、球払出通路２９の途中に別の球払出装置を設けるようにしても良い。
【００９１】
また、上記実施形態（１）、（２）では、球タンク２１から供給されるパチンコ球を、回転式の球振分装置２２によって発射用球流路２３と払出用球流路２４（又は賞球流路４６と貸球流路４７）の一方に優先的に振り分けるようにしたが、回転式の球振分装置２２の適用範囲は、これに限定されず、例えば、球タンクから供給されるパチンコ球を払出用球流路と球抜き流路のうちの一方に優先的に振り分ける等、１系統の流路で供給されるパチンコ球を複数系統の球流路のうち所定の球流路に優先的に振り分ける場合に広く適用することができる。
【００９２】
その他、本発明はパチンコ機に限定されず、所定数のパチンコ球を発射して組み合わせゲームを行うアレンジ式パチンコ機等、種々の遊技機に本発明を適用しても良い。
【００９３】
【発明の効果】
以上の説明から明らかなように、本発明の請求項１の遊技機によれば、球タンクから供給されるパチンコ球を、球発射装置に通じる発射用球流路と球払出装置に通じる払出用球流路のうちの一方に優先的に振り分けて流下させるように動作する球振分装置を設けるようにしたので、球発射装置と球払出装置のうちパチンコ球を優先的に供給すべき方にパチンコ球を確実に安定供給することができる。
【００９４】
一方、請求項２では、球タンクから供給されるパチンコ球を、賞球払出装置に通じる賞球流路と貸球払出装置に通じる貸球流路のうちの一方に優先的に振り分けて流下させるように動作する球振分装置を設けるようにしたので、賞球払出装置と貸球払出装置のうちパチンコ球を優先的に供給すべき方に、パチンコ球を確実に安定供給することができる。
【００９５】
また、請求項３、４では、球振分装置を、球受入部を有する回転体が所定の回転方向に回転することで球受入部の開口部が流入口、優先排出口、非優先排出口の順に対向するように構成したので、複雑な制御を用いることなく回転体を回転させるだけで所定の球流路にパチンコ球を優先的に流下させることができる。
【００９６】
更に、請求項５では、回転体は、円錐台形状又は角錐台形状の回転コアの外周に複数の球受入部を形成するようにしたので、パチンコ球を回転体の上部側と下部側で軸方向と軸直方向に排出することができて、回転体周辺のスペースを立体的に有効利用して球流路を配置することができ、球振分装置を小型化することができる。しかも、回転コアの回転軸を水平に配置するので、駆動モータやギア機構を傾斜配置する必要がなく、球振分装置の構成を簡単化することができる。
【００９７】
また、請求項６では、球振分装置を、２系統の球流路のうち優先球流路の方に供給球を強制的に流下させる強制優先位置に切換動作可能な流路切換部材を設ける構成にしたので、必要に応じて流路切換部材を強制優先位置に切り換えることによってパチンコ球を確実に優先球流路に優先的に流下させることができる。
【００９８】
更に、請求項７では、供給球の不足が検出されたときに優先球流路以外の球流路に接続された装置の動作を禁止するようにしたので、供給球の消費量を少なくしながら、供給球を優先球流路に接続された装置のみに供給することができ、供給球の不足時でも、より確実に優先球流路に接続された装置にパチンコ球を安定供給することができる。
【００９９】
また、請求項８では、球払出装置のパチンコ球の払出先を球皿に通じる球払出流路と球発射装置に通じる発射用球流路との間で切換可能にしたので、供給球を球払出装置から発射用球流路に払い出すことによって、球発射装置の方に確実にパチンコ球を安定供給することができる。
【図面の簡単な説明】
【図１】本発明の実施形態（１）におけるパチンコ機の裏面図
【図２】実施形態（１）のパチンコ機の正面図
【図３】実施形態（１）の球振分装置及びその周辺部の斜視図
【図４】実施形態（１）の球振分装置及びその周辺部の縦断正面図
【図５】図４のＡ−Ａ断面図
【図６】実施形態（１）の球振分制御プログラムの処理の流れを示すフローチャート
【図７】実施形態（２）のパチンコ機の裏面図
【図８】実施形態（３）のパチンコ機の裏面図
【図９】実施形態（３）の球振分制御プログラムの処理の流れを示すフローチャート
【図１０】実施形態（４）のパチンコ機の裏面図
【図１１】実施形態（４）の球振分制御プログラムの処理の流れを示すフローチャート
【符号の説明】
１１…パチンコ機（遊技機）、１４…球発射装置、１７…球皿、１９…球排出装置、２１…球タンク、２２…球振分装置、２３…発射用球流路、２４…払出用球流路、２５…供給球不足検出センサ（供給球不足検出手段）、２７…発射球不足検出センサ、２８…球払出装置、３１…球振分回転体、３２…回転コア、３３…仕切板、３４…球受入部、３５…回転軸、３６…モータ、４１…流入口、４２…優先排出口、４３…非優先排出口、４５…パチンコ機（遊技機）、４６…賞球流路、４７…貸球流路、４８…賞球払出装置、４９…貸球払出装置、５０…パチンコ機（遊技機）、５１…分岐流路（分岐部）、５３…第１流路、５４…第２流路、５５…球振分装置、５６…流路切換部材、５８…排出球不足検出センサ、６０…パチンコ機（遊技機）、６１…球供給路、６２…球払出装置、６４…スプロケット、６５…賞球・貸球払出流路、６７…発射球払出流路。
【図１】
2004121680.tif 000003
【図２】
2004121680.tif 000004
【図３】
2004121680.tif 000005
【図４】
2004121680.tif 000006
【図５】
2004121680.tif 000007
【図６】
2004121680.tif 000008
【図７】
2004121680.tif 000009
【図８】
2004121680.tif 000010
【図９】
2004121680.tif 000011
【図１０】
2004121680.tif 000012
【図１１】
2004121680.tif 000013